【手続補正書】
【提出日】平成19年8月29日(2007.8.29)
【手続補正１】
【補正対象書類名】特許請求の範囲
【補正対象項目名】全文
【補正方法】変更
【補正の内容】
【特許請求の範囲】
【請求項１】
制御対象のIC(Integrated Circuit)チップに応じたコマンドを、クライアント装置を介して前記ICチップに送信し、実行させるサーバ装置において、
前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御手段を備える
ことを特徴とするサーバ装置。
【請求項２】
制御対象のIC(Integrated Circuit)チップに応じたコマンドを、クライアント装置を介して前記ICチップに送信し、実行させるサーバ装置の通信方法において、
前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御ステップを含む
ことを特徴とする通信方法。
【請求項３】
制御対象のIC(Integrated Circuit)チップに応じたコマンドを、クライアント装置を介して前記ICチップに送信し、実行させる処理をコンピュータに実行させるプログラムにおいて、
前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御ステップを含む
ことを特徴とするプログラム。
【請求項４】
サーバ装置から送信されてくるコマンドを制御対象のIC(Integrated Circuit)チップに実行させるクライアント装置において、
前記サーバ装置との通信の開始時に、前記サーバ装置からの要求によらずに、前記ICチップから取得した前記ICチップに関する情報を前記サーバ装置に送信する送信手段を備える
ことを特徴とするクライアント装置。
【請求項５】
サーバ装置から送信されてくるコマンドを制御対象のIC(Integrated Circuit)チップに実行させるクライアント装置の通信方法において、
前記サーバ装置との通信の開始時に、前記サーバ装置からの要求によらずに、前記ICチップから取得した前記ICチップに関する情報を前記サーバ装置に送信する送信ステップを含む
ことを特徴とする通信方法。
【請求項６】
サーバ装置から送信されてくるコマンドを制御対象のIC(Integrated Circuit)チップに実行させる処理をコンピュータに実行させるプログラムにおいて、
前記サーバ装置との通信の開始時に、前記サーバ装置からの要求によらずに、前記ICチップから取得した前記ICチップに関する情報を前記サーバ装置に送信する送信ステップを含む
ことを特徴とするプログラム。
【請求項７】
クライアント装置にパケットを送信し、パケットの内容に基づいて処理を行わせるサーバ装置において、
所定の処理の内容を指示する第１のパケットと、前記第１のパケットに基づく処理が失敗した場合の次の処理の内容を指示する第２のパケットとを含む第３のパケットを生成し、前記クライアント装置に送信する送信手段を備える
ことを特徴とするサーバ装置。
【請求項８】
クライアント装置にパケットを送信し、パケットの内容に基づいて処理を行わせるサーバ装置の通信方法において、
所定の処理の内容を指示する第１のパケットと、前記第１のパケットに基づく処理が失敗した場合の次の処理の内容を指示する第２のパケットとを含む第３のパケットを生成し、前記クライアント装置に送信する送信ステップを含む
ことを特徴とする通信方法。
【請求項９】
クライアント装置にパケットを送信し、パケットの内容に基づいて処理を行わせる通信処理をコンピュータに実行させるプログラムにおいて、
所定の処理の内容を指示する第１のパケットと、前記第１のパケットに基づく処理が失敗した場合の次の処理の内容を指示する第２のパケットとを含む第３のパケットを生成し、前記クライアント装置に送信する送信ステップを含む
ことを特徴とするプログラム。
【請求項１０】
サーバ装置から送信されてきたパケットの内容に基づいて処理を行うクライアント装置において、
所定の処理の内容を指示する第１のパケットと、前記第１のパケットに基づく処理が失敗した場合の次の処理の内容を指示する第２のパケットとを含む第３のパケットを受信し、受信した前記第３のパケットに含まれる前記第１のパケットの内容に基づいて処理を行う第１の処理手段と、
前記第１の処理手段による処理が失敗したとき、受信した前記第３のパケットに含まれる前記第２のパケットの内容に基づいて処理を行う第２の処理手段と
を備えることを特徴とするクライアント装置。
【請求項１１】
サーバ装置から送信されてきたパケットの内容に基づいて処理を行うクライアント装置の通信方法において、
所定の処理の内容を指示する第１のパケットと、前記第１のパケットに基づく処理が失敗した場合の次の処理の内容を指示する第２のパケットとを含む第３のパケットを受信し、受信した前記第３のパケットに含まれる前記第１のパケットの内容に基づいて処理を行う第１の処理ステップと、
前記第１の処理ステップによる処理が失敗したとき、受信した前記第３のパケットに含まれる前記第２のパケットの内容に基づいて処理を行う第２の処理ステップと
を含むことを特徴とする通信方法。
【請求項１２】
サーバ装置から送信されてきたパケットの内容に基づいて処理を行う通信処理をコンピュータに実行させるプログラムにおいて、
所定の処理の内容を指示する第１のパケットと、前記第１のパケットに基づく処理が失敗した場合の次の処理の内容を指示する第２のパケットとを含む第３のパケットを受信し、受信した前記第３のパケットに含まれる前記第１のパケットの内容に基づいて処理を行う第１の処理ステップと、
前記第１の処理ステップによる処理が失敗したとき、受信した前記第３のパケットに含まれる前記第２のパケットの内容に基づいて処理を行う第２の処理ステップと
を含むことを特徴とするプログラム。
【請求項１３】
制御対象のIC(Integrated Circuit)チップに応じたコマンドを、クライアント装置を介して前記ICチップに送信し、実行させるサーバ装置と、前記クライアント装置とからなる通信システムにおいて、
前記サーバ装置は、
前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御手段を備え、
前記クライアント装置は、
前記サーバ装置との通信の開始時に、前記サーバ装置からの要求によらずに、前記ICチップから取得した前記ICチップに関する情報を前記サーバ装置に送信する送信手段を備える
ことを特徴とする通信システム。
【請求項１４】
サーバ装置とクライアント装置とからなる通信システムにおいて、
前記サーバ装置は、
所定の処理の内容を指示する第１のパケットと、前記第１のパケットに基づく処理が失敗した場合の次の処理の内容を指示する第２のパケットとを含む第３のパケットを生成し、前記クライアント装置に送信する送信手段を備え、
前記クライアント装置は、
前記第３のパケットを受信し、受信した前記第３のパケットに含まれる前記第１のパケットの内容に基づいて処理を行う第１の処理手段と、
前記第１の処理手段による処理が失敗したとき、受信した前記第３のパケットに含まれる前記第２のパケットの内容に基づいて処理を行う第２の処理手段と
を備えることを特徴とする通信システム。
【手続補正２】
【補正対象書類名】明細書
【補正対象項目名】００５９
【補正方法】変更
【補正の内容】
【００５９】
請求項１３に記載の通信システムは、制御対象のICチップに応じたコマンド（例えば、ICチップの種別に応じたコマンド、鍵バージョンに応じたバージョンの鍵で暗号化されたコマンド）を、クライアント装置（例えば、図３のクライアント３４）を介して前記ICチップに送信し、実行させるサーバ装置（例えば、図３のサーバ３１）と、前記クライアント装置とからなる通信システムであって、そのうちの前記サーバ装置は、前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御手段（例えば、図５のステップＳ５１の処理を実行する図４の通信部５９）を備え、前記クライアント装置は、前記サーバ装置との通信の開始時に、前記サーバ装置からの要求によらずに、前記ICチップから取得した前記ICチップに関する情報を前記サーバ装置に送信する送信手段（例えば、図５のステップＳ４５の処理を実行する図４の通信部５９）を備えることを特徴とする。
【手続補正３】
【補正対象書類名】明細書
【補正対象項目名】００６０
【補正方法】変更
【補正の内容】
【００６０】
請求項１に記載のサーバ装置は、制御対象のICチップに応じたコマンド（例えば、ICチップの種別に応じたコマンド、鍵バージョンに応じたバージョンの鍵で暗号化されたコマンド）を、クライアント装置（例えば、図３のクライアント３４）を介して前記ICチップに送信し、実行させるサーバ装置（例えば、図３のサーバ３１）であって、前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御手段（例えば、図５のステップＳ５１の処理を実行する図４の通信部５９）を備えることを特徴とする。
【手続補正４】
【補正対象書類名】明細書
【補正対象項目名】００６１
【補正方法】変更
【補正の内容】
【００６１】
請求項２に記載の通信方法は、制御対象のICチップに応じたコマンド（例えば、ICチップの種別に応じたコマンド、鍵バージョンに応じたバージョンの鍵で暗号化されたコマンド）を、クライアント装置（例えば、図３のクライアント３４）を介して前記ICチップに送信し、実行させるサーバ装置（例えば、図３のサーバ３１）の通信方法であって、前記クライアント装置との通信の開始時に、前記クライアント装置により取得され、送信されてきた前記ICチップに関する情報を受信し、受信した情報に基づいて生成した前記ICチップに応じたコマンドにより前記ICチップを制御する制御ステップ（例えば、図５のステップＳ５１）を含むことを特徴とする。
【手続補正５】
【補正対象書類名】明細書
【補正対象項目名】００６２
【補正方法】変更
【補正の内容】
【００６２】
請求項３に記載のプログラムにおいても、各ステップが対応する実施の形態（但し一例）は、請求項２に記載の通信方法と同様である。
【手続補正６】
【補正対象書類名】明細書
【補正対象項目名】００６３
【補正方法】変更
【補正の内容】
【００６３】
請求項４に記載のクライアント装置は、サーバ装置（例えば、図３のサーバ３１）から送信されてくるコマンドを制御対象のICチップに実行させるクライアント装置（例えば、図３のクライアント３４）であって、前記サーバ装置との通信の開始時に、前記サーバ装置からの要求によらずに、前記ICチップから取得した前記ICチップに関する情報を前記サーバ装置に送信する送信手段（例えば、図５のステップＳ４５の処理を実行する図４の通信部５９）を備えることを特徴とする。
【手続補正７】
【補正対象書類名】明細書
【補正対象項目名】００６４
【補正方法】変更
【補正の内容】
【００６４】
請求項５に記載の通信方法は、サーバ装置（例えば、図３のサーバ３１）から送信されてくるコマンドを制御対象のICチップに実行させるクライアント装置（例えば、図３のクライアント３４）の通信方法であって、前記サーバ装置との通信の開始時に、前記サーバ装置からの要求によらずに、前記ICチップから取得した前記ICチップに関する情報を前記サーバ装置に送信する送信ステップ（例えば、図５のステップＳ４５）を含むことを特徴とする。
【手続補正８】
【補正対象書類名】明細書
【補正対象項目名】００６５
【補正方法】変更
【補正の内容】
【００６５】
請求項６に記載のプログラムにおいても、各ステップが対応する実施の形態（但し一例）は、請求項５に記載の通信方法と同様である。
【手続補正９】
【補正対象書類名】明細書
【補正対象項目名】００６６
【補正方法】変更
【補正の内容】
【００６６】
請求項１４に記載の通信システムは、サーバ装置（例えば、図３のサーバ３１）とクライアント装置（例えば、図３のクライアント３４）とからなる通信システムであって、そのうちの前記サーバ装置は、所定の処理の内容を指示する第１のパケット（例えば、通常パケット）と、前記第１のパケットに基づく処理が失敗した場合の次の処理の内容を指示する第２のパケット（例えば、制御パケット）とを含む第３のパケット（例えば、要求パケット）を生成し、前記クライアント装置に送信する送信手段（例えば、図１０のステップＳ１０４の処理を実行する図８の要求パケット生成部１０３）を備え、前記クライアント装置は、前記第３のパケットを受信し、受信した前記第３のパケットに含まれる前記第１のパケットの内容に基づいて処理を行う第１の処理手段（例えば、図１１のステップＳ１２２の処理を実行する図９の通常パケット処理部１１２）と、前記第１の処理手段による処理が失敗したとき、受信した前記第３のパケットに含まれる前記第２のパケットの内容に基づいて処理を行う第２の処理手段（例えば、図１１のステップＳ１２４の処理を実行する図９の制御パケット処理部１１３）とを備えることを特徴とする。
【手続補正１０】
【補正対象書類名】明細書
【補正対象項目名】００６７
【補正方法】変更
【補正の内容】
【００６７】
請求項７に記載のサーバ装置は、クライアント装置（例えば、図３のクライアント３４）にパケットを送信し、パケットの内容に基づいて処理を行わせるサーバ装置（例えば、図３のサーバ３１）であって、所定の処理の内容を指示する第１のパケット（例えば、通常パケット）と、前記第１のパケットに基づく処理が失敗した場合の次の処理の内容を指示する第２のパケット（例えば、制御パケット）とを含む第３のパケット（例えば、要求パケット）を生成し、前記クライアント装置に送信する送信手段（例えば、図１０のステップＳ１０４の処理を実行する図８の要求パケット生成部１０３）を備えることを特徴とする。
【手続補正１１】
【補正対象書類名】明細書
【補正対象項目名】００６８
【補正方法】変更
【補正の内容】
【００６８】
請求項８に記載の通信方法は、クライアント装置（例えば、図３のクライアント３４）にパケットを送信し、パケットの内容に基づいて処理を行わせるサーバ装置（例えば、図３のサーバ３１）の通信方法であって、所定の処理の内容を指示する第１のパケット（例えば、通常パケット）と、前記第１のパケットに基づく処理が失敗した場合の次の処理の内容を指示する第２のパケット（例えば、制御パケット）とを含む第３のパケット（例えば、要求パケット）を生成し、前記クライアント装置に送信する送信ステップ（例えば、図１０のステップＳ１０４）を含むことを特徴とする。
【手続補正１２】
【補正対象書類名】明細書
【補正対象項目名】００６９
【補正方法】変更
【補正の内容】
【００６９】
請求項９に記載のプログラムにおいても、各ステップが対応する実施の形態（但し一例）は、請求項８に記載の通信方法と同様である。
【手続補正１３】
【補正対象書類名】明細書
【補正対象項目名】００７０
【補正方法】変更
【補正の内容】
【００７０】
請求項１０に記載のクライアント装置は、サーバ装置（例えば、図３のサーバ３１）から送信されてきたパケットの内容に基づいて処理を行うクライアント装置（例えば、図３のクライアント３４）であって、所定の処理の内容を指示する第１のパケット（例えば、通常パケット）と、前記第１のパケットに基づく処理が失敗した場合の次の処理の内容を指示する第２のパケット（例えば、制御パケット）とを含む第３のパケット（例えば、要求パケット）を受信し、受信した前記第３のパケットに含まれる前記第１のパケットの内容に基づいて処理を行う第１の処理手段（例えば、図１１のステップＳ１２２の処理を実行する図９の通常パケット処理部１１２）と、前記第１の処理手段による処理が失敗したとき、受信した前記第３のパケットに含まれる前記第２のパケットの内容に基づいて処理を行う第２の処理手段（例えば、図１１のステップＳ１２４の処理を実行する図９の制御パケット処理部１１３）とを備えることを特徴とする。
【手続補正１４】
【補正対象書類名】明細書
【補正対象項目名】００７１
【補正方法】変更
【補正の内容】
【００７１】
請求項１１に記載の通信方法は、サーバ装置（例えば、図３のサーバ３１）から送信されてきたパケットの内容に基づいて処理を行うクライアント装置（例えば、図３のクライアント３４）の通信方法であって、所定の処理の内容を指示する第１のパケット（例えば、通常パケット）と、前記第１のパケットに基づく処理が失敗した場合の次の処理の内容を指示する第２のパケット（例えば、制御パケット）とを含む第３のパケット（例えば、要求パケット）を受信し、受信した前記第３のパケットに含まれる前記第１のパケットの内容に基づいて処理を行う第１の処理ステップ（例えば、図１１のステップＳ１２２）と、前記第１の処理ステップによる処理が失敗したとき、受信した前記第３のパケットに含まれる前記第２のパケットの内容に基づいて処理を行う第２の処理ステップ（例えば、図１１のステップＳ１２４）とを含むことを特徴とする。
【手続補正１５】
【補正対象書類名】明細書
【補正対象項目名】００７２
【補正方法】変更
【補正の内容】
【００７２】
請求項１２に記載のプログラムにおいても、各ステップが対応する実施の形態（但し一例）は、請求項１１に記載の通信方法と同様である。